(57)【要約】【課題】  電子カメラなどの電子機器において、電子機器の姿勢の判定を、ユーザーの意図に即して行うことのできる手段を提供することを目的とする。【解決手段】  前面部と背面部とを有する筐体と、前記背面部に設置されたモニタと、前記背面部の周辺に位置する指の位置を検出する指センサと、前記指センサの出力に基づいて、前記筐体の保持されている姿勢を判定する制御部と、を備えることを特徴とする電子機器。【選択図】      図１
2008199145.tif 000002
【特許請求の範囲】
【請求項１】
前面部と背面部とを有する筐体と、
前記背面部に設置されたモニタと、
前記背面部の周辺に位置する指の位置を検出する指センサと、
前記指センサの出力に基づいて、前記筐体の保持されている姿勢を判定する制御部と、
を備えることを特徴とする電子機器。
【請求項２】
請求項１に記載の電子機器において、
前記指センサは、前記モニタ上に配置されたタッチパネルであることを特徴とする電子機器。
【請求項３】
請求項１または２に記載の電子機器において、
前記電子機器は、被写体を撮像して画像のデータを生成する撮像素子をさらに備える撮像装置であって、
前記制御部は、撮像時における前記姿勢の情報を前記画像のデータに対応付けして記録することを特徴とする電子機器。
【請求項４】
請求項１または２に記載の電子機器において、
前記電子機器は、被写体を撮像して画像のデータを生成する撮像素子をさらに備える撮像装置であって、
前記制御部は、前記姿勢の状態に基づいて、前記モニタ上に表示された画像および情報表示の少なくとも一方の向きを変更することを特徴とする電子機器。
【請求項５】
請求項４に記載の電子機器において、
前記制御部は、撮像時または前記画像の再生時に、前記姿勢の状態に基づいて前記モニタ上に表示された画像の向きを変更することを特徴とする電子機器。
【発明の詳細な説明】
【技術分野】
【０００１】
本発明は、画像等を表示するモニタを有する電子機器に関する。
【背景技術】
【０００２】
従来から、モニタなどに表示する画像の向きを電子機器の姿勢に応じて自動的に変更する電子機器が公知である。
なお、特許文献１には、液体スイッチなどからなるカメラ姿勢検出用センサを設け、このセンサからの出力を、撮像した画像の向きを指定する情報として画像のデータとともに記録する電子カメラが開示されている。
【特許文献１】特公平４−１２６７３号公報
【発明の開示】
【発明が解決しようとする課題】
【０００３】
ところで、撮像される被写体の姿勢やユーザーの電子カメラの構え方によっては、重力方向を基準とする電子カメラの姿勢と、撮像した画像を表示するときの好ましい向きとが常に一致するとは限らない。そのため、従来のカメラ姿勢検出用センサによると、撮像した画像などが好ましい向きで必ずしも表示されないことがある点で改善の余地があった。
そこで、本発明では、電子カメラなどの電子機器において、電子機器の姿勢の判定を、ユーザーの意図に即して行うことのできる手段を提供することを目的とする。
【課題を解決するための手段】
【０００４】
請求項１に記載の電子機器は、前面部と背面部とを有する筐体と、前記背面部に設置されたモニタと、前記背面部の周辺に位置する指の位置を検出する指センサと、前記指センサの出力に基づいて、前記筐体の保持されている姿勢を判定する制御部と、を備えることを特徴とする。
請求項２に記載の電子機器は、請求項１に記載の電子機器において、前記指センサは、前記モニタ上に配置されたタッチパネルであることを特徴とする。
【０００５】
請求項３に記載の電子機器は、請求項１または２に記載の電子機器において、前記電子機器は、被写体を撮像して画像のデータを生成する撮像素子をさらに備える撮像装置であって、前記制御部は、撮像時における前記姿勢の情報を前記画像のデータに対応付けして記録することを特徴とする。
請求項４に記載の電子機器は、請求項１または２に記載の電子機器において、前記電子機器は、被写体を撮像して画像のデータを生成する撮像素子をさらに備える撮像装置であって、前記制御部は、前記姿勢の状態に基づいて、前記モニタ上に表示された画像および情報表示の少なくとも一方の向きを変更することを特徴とする。
【０００６】
請求項５に記載の電子機器は、請求項４に記載の電子機器において、前記制御部は、撮像時または前記画像の再生時に、前記姿勢の状態に基づいて前記モニタ上に表示された画像の向きを変更することを特徴とする。
【発明の効果】
【０００７】
本発明の電子機器によれば、電子機器の背面周辺に接触している指の位置に基づいて、電子機器の姿勢を判定することが可能となる。
【発明を実施するための最良の形態】
【０００８】
図１は、本実施形態の電子カメラの外観を背面側から示す斜視図である。この電子カメラの筐体２０の背面部２２には、モニタ５と、モニタ５の表面全体に積層されたタッチパネル４とが配置されている。なお、図１には示されないが筐体２０の前面部２１には撮像レンズ１が配置されている。また筐体２０の天面には、レリーズ釦９が配置されている。
図２は、本実施形態の電子カメラの内部構成を示すブロック図である。
【０００９】
電子カメラは、撮像レンズ１と、撮像素子２と、Ａ／Ｄ変換部３と、タッチパネル４と、モニタ５と、制御部６と、画像処理部７と、バッファメモリ８と、記録Ｉ／Ｆ１０と、記録媒体１１と、バス１２とを備える。なお、Ａ／Ｄ変換部３と、モニタ５と、制御部６と、画像処理部７と、バッファメモリ８と、記録Ｉ／Ｆ１０とは、それぞれバス１２を介して接続されている。
【００１０】
撮像レンズ１は、撮像素子２の撮像面に被写体像を結像させる。
撮像素子２は、撮像レンズ１を通過した光束による被写体像を光電変換し、アナログ画像信号を生成する。撮像素子２の出力はＡ／Ｄ変換部３に接続されている。ここで、被写体を撮影するための撮影モードにおいて撮像素子２は、レリーズ時に記録用画像（本画像）を撮像する。また、撮像素子２は、撮影モードの撮影待機時（非レリーズ時）にも所定間隔毎にスルー画像を撮像する。上記のスルー画像のデータは撮像素子２から間引き読み出しされて、制御部６による各種の演算処理やモニタ５の表示などに使用される。
【００１１】
Ａ／Ｄ変換部３は、撮像素子２の出力信号のＡ／Ｄ変換を行う。
タッチパネル４は、パネル上での指（またはスタイラスなど）の接触位置を検出する。タッチパネル４の出力は制御部６に接続されている。
なお、タッチパネル４は、モニタ５の表面全体に積層して配置するため、モニタ５と同等の大きさを有する透明なパネルで構成されている。また、本実施形態の例では、タッチパネル４は、静電気による電気信号を感知する静電容量式のパネルで構成されている。なお、静電容量式に限らず、圧力による電圧の変化を検知する抵抗膜式のパネルなどを用いてもよい。
【００１２】
ここで、図３（ａ）は、本実施形態の電子カメラの背面図である。また、図３（ｂ）は、タッチパネル４の概略図である。本実施形態の例では、タッチパネル４は、筐体２０の背面の長手方向に横長となるように設置されている。ここで、タッチパネル４は、図３（ｂ）に示すように、正方形のセル状のエリア単位で指などの接触の有無を検出する。なお、簡単のため、図３（ｂ）では、パネルの横方向をＸ軸、縦方向をＹ軸とし、また、タッチパネル４を７７個のエリアに分割した例を示している。
【００１３】
例えば、電子カメラの天面が上を向いている状態で横向きに電子カメラを構えるとき（正位置の姿勢）、パネル上に接触する指の範囲は、図３（ａ）の斜線で囲まれた楕円の領域となる。このとき、タッチパネル４は、図３（ｂ）の塗りつぶされたエリアを指の位置として検出する。
モニタ５は、制御部６の指示する画面を表示する。本実施形態の例では、モニタ５は液晶モニタで構成されている。このモニタ５には、撮影待機時にスルー画像が表示される。また、モニタ５には、ＧＵＩ（Graphical User Interface）形式の入力が可能なメニュー画面なども表示することができる。上記のメニュー画面では、タッチパネル４の入力に応じて、各種項目の入力を実行する。例えば、上記のメニュー画面では、レリーズ手段の選択を制御部６に対してユーザーが入力できる。具体的には、ユーザーは、ＧＵＩ形式のレリーズ釦３０での撮影の可否をメニュー画面で変更できる。さらに、上記のメニュー画面では、レリーズ釦９で撮影を行うときに、電子カメラの姿勢の指定（例えば、正位置と後述の逆位置との入力による指定）を制御部６に入力できる。
【００１４】
なお、図４では、ＧＵＩ形式のレリーズ釦３０で撮影を可能とする場合の表示画像を示している。この場合には、モニタ５上にスルー画像とともにレリーズ釦３０が表示される。このレリーズ釦３０への入力はタッチパネル４で行われる。
制御部６は、所定のシークエンスプログラムにしたがって、電子カメラの総括的な制御を行うプロセッサである。なお、制御部６は、撮影待機時、レリーズ時、本画像の再生時において、タッチパネル４からの位置情報に基づいて、電子カメラの姿勢を判定する。
【００１５】
画像処理部７は、Ａ／Ｄ変換部３から出力されたデジタル信号に各種の画像処理（色補間、階調変換処理、輪郭強調処理、ホワイトバランス調整、圧縮伸長処理など）を施して本画像のデータを生成する。また、画像処理部７は、本画像の再生時やスルー画像の表示において、制御部６の指示に基づいて、モニタ５に表示するための表示画像を生成する。また、画像処理部７は、上記の表示画像の解像度変換や回転を行う。
【００１６】
バッファメモリ８は、画像処理部７による画像処理の前工程や後工程で本画像のデータを一時的に記録する。
レリーズ釦９は、レリーズタイミングの入力指示をユーザーから受け付ける。レリーズ釦９の出力は制御部６に接続されている。
記録Ｉ／Ｆ１０は、記録媒体１１を接続するためのコネクタが形成されている。そして、記録Ｉ／Ｆ１０は、コネクタに接続された記録媒体１１に対してデータの書き込み／読み込みを実行する。
【００１７】
以下、本実施形態の電子カメラの姿勢の判定方法について説明する。なお、以下の場合では、タッチパネル４によるレリーズ釦３０で撮像を行う場合や、本画像の再生表示をモニタ５で鑑賞する場合を前提として説明を行う。
タッチパネル４は、パネル上に接触した指の位置を検出して、指の位置情報を制御部６に出力する。制御部６は、この位置情報に基づいて、図４に示す（１）正位置、（２）逆位置、（３）右側を上にした縦位置、（４）左側を上にした縦位置、の４つの電子カメラの姿勢のうち、いずれの姿勢であるかを以下の要領で判定する。なお、本実施例では、（１）正位置（電子カメラの天面が上を向いている状態で横向きに電子カメラを構える位置）を電子カメラの基準の姿勢とする。そして、（２）〜（４）の各姿勢は、（１）の正位置の姿勢の電子カメラをそれぞれ順に、１８０度回転させた姿勢（（２）の逆位置）、反時計回りに９０度回転させた姿勢（（３）の縦位置）、時計回りに９０度回転させた姿勢（（４）の縦位置）である。
【００１８】
まず、制御部６は、タッチパネル４の検出する指の接触位置に基づいて、電子カメラが横向きか否かを次のように判定する。例えば、ユーザーが通常両手で電子カメラを横向きに構えているときには、パネルの左右両側に指が接触する。一方、ユーザーが通常両手で電子カメラを縦向きに構えているときには、正位置のパネルの向きを基準にすると、パネルの上下両側に指が接触する。
【００１９】
したがって、制御部６は、タッチパネル４の検出する指の接触位置がパネルの左右両側に分布している場合は、電子カメラが横向き（（１）の正位置または（２）の逆位置）であると判定する。一方、制御部６は、タッチパネル４の検出する指の接触位置がパネルの上下両側に分布している場合は、電子カメラが縦向き（（３）の縦位置または（４）の縦位置）であると判定する。
【００２０】
なお、片手で電子カメラを構えているときにも、タッチパネル４は上下左右いずれか片側に指の位置を検出できるので、制御部６は、上記の場合に準じて、電子カメラが横向きか否かを判定可能である。
次に、制御部６は、電子カメラが（１）の正位置または（２）の逆位置のいずれであるか、および（３）の縦位置または（４）の縦位置のいずれであるかを判定する。
【００２１】
まず、制御部６は、電子カメラの姿勢が（１）の正位置または（２）の逆位置のいずれであるかを次のように判定する。
制御部６は、タッチパネル４の検出する指の接触位置を、タッチパネル４の横方向をＸ軸、縦方向をＹ軸とする座標系に変換する。ここで、ユーザーが（１）の正位置で電子カメラを構えているときには、一般的に指の先がパネルの上側に接触する。したがって、図３（ｂ）に示すようにパネルの左下側を座標の原点とすると、Ｙ軸方向の値が大きくなる領域に指の接触位置が分布することとなる。
【００２２】
そのため、制御部６は、指の接触位置がＹ軸方向の値の大きな領域に分布する場合には、電子カメラの姿勢が（１）の正位置であると判定する。一方、指の接触位置がＹ軸方向の値の小さな領域に分布する場合には、パネルの下側に指があり、電子カメラを逆位置の姿勢で構えていると推定できる。そのため、制御部６は、電子カメラの姿勢が（２）の逆位置であると判定する。
【００２３】
また、制御部６は、電子カメラが（３）の縦位置または（４）の縦位置のいずれであるかを次のように判定する。
制御部６は、タッチパネル４の検出する指の接触位置を上記と同じ要領で座標系に変換する。ここで、ユーザーが（３）の縦位置で電子カメラを構えているときには、正位置のパネルの向きを基準にすると、一般的に指の先がパネルの右側に接触する。したがって、図３（ｂ）に示すようにパネルの左下側を座標の原点とすると、Ｘ軸方向の値が大きくなる領域に指の接触位置が分布することとなる。
【００２４】
そのため、制御部６は、指の接触位置がＸ軸方向の値の大きな領域に分布する場合には、電子カメラの姿勢が（３）の縦位置であると判定する。一方、指の接触位置がＸ軸方向の値の小さな領域に分布する場合には、パネルの左側に指があり、電子カメラを（４）の縦位置の姿勢で構えていると推定できる。そのため、制御部６は、電子カメラの姿勢が（４）の縦位置であると判定する。
【００２５】
以下、本実施形態の電子カメラの動作を説明する。
まず、撮像時における電子カメラの動作の概略を説明する。
制御部６は、電子カメラの姿勢を判定して、図４に示すように、（１）〜（４）の電子カメラの姿勢にそれぞれ対応して、モニタ５に表示されたレリーズ釦３０、メニュー画面の項目、スルー画像を表示しているときのオンスクリーン表示（残フレーム数や撮像条件の表示など）の向きを変更する（なお、図４では、スルー画像のオンスクリーン表示などは省略する）。
【００２６】
また、制御部６は、レリーズ釦９が全押し（またはモニタ５上のレリーズ釦３０が押圧）されると、撮像時における電子カメラの姿勢の情報を本画像のデータに対応付けして記録媒体１１に記録する。例えば、画像のファイルがＥｘｉｆ規格に準拠する場合には、電子カメラの姿勢のデータは画像ファイルのヘッダ部分に記録される。
次に、再生時における電子カメラの動作の概略を説明する。図６は、本画像のデータと表示画像のデータの一例を示す図である。なお、この場合の電子カメラの動作は、ユーザーがメニュー画面の設定操作により再生したい本画像を選択したときに、制御部６によって自動的に行われる。
【００２７】
まず、制御部６は、再生時における現在の電子カメラの姿勢を判定する。そして、制御部６は再生時の電子カメラの姿勢の情報を画像処理部７に出力する。
そして、制御部６は、本画像のデータと、撮像時の電子カメラの姿勢の情報とを記録媒体１１から読み出して、画像処理部７に出力する。画像処理部７は、電子カメラの姿勢を撮像時と再生時とで比較する。両者の姿勢が一致する場合には、画像処理部７は、本画像の向きは変えずに解像度をモニタ５にあわせた表示画像を生成する。例えば、正位置で撮像された本画像を正位置に保持した電子カメラで再生表示する場合、図６のように、画像処理部７は本画像ａと同じ向きの表示画像ｃをモニタ５に表示する。
【００２８】
一方、撮像時および再生時の電子カメラの姿勢が一致しない場合には、再生時の電子カメラの姿勢に応じて、以下のように表示画像を生成してモニタ５に表示する。
具体的には、画像処理部７は、まず、撮像時と再生時とで電子カメラの縦横の向きが同じか否かを判定する。本実施例において、横向きに撮像した画像と縦向きに撮像した画像とでは、画像の縦と横の長さが異なる。したがって、撮像時と再生時とで電子カメラの縦横の向きが異なる場合には、再生時の電子カメラの姿勢に応じて、画像を回転させるとともに、撮像した画像を縮小する必要があるためである。
【００２９】
画像処理部７は、撮像時と再生時とで電子カメラの縦横の向きが同じである場合（例えば、（３）の縦位置で撮像された本画像を（４）の縦位置に保持した電子カメラで再生表示する場合）には、本画像を１８０度回転させた状態で、モニタ５の解像度に合わせた表示画像を生成する。
一方、画像処理部７は、撮像時と再生時とで電子カメラの縦横の向きが異なる場合には、再生時の電子カメラの姿勢に応じて、本画像を回転させるとともに、縮小された表示画像を生成して、モニタ５に表示する。具体的には、画像処理部７は、再生時の電子カメラの姿勢に応じて、本画像を時計回りに９０度または反時計回りに９０度回転させる。そして、画像処理部７は、この回転させた本画像をアスペクト比を保持しつつ、モニタ５に表示できる大きさに縮小した表示画像を生成する。例えば、（１）の正位置で撮像された本画像を（３）の縦位置に保持した電子カメラで再生表示する場合、画像処理部７は、図６の本画像ａに基づいて表示画像ｂを生成する。また、（３）の縦位置で撮像された本画像を（１）の正位置に保持した電子カメラで再生表示する場合、画像処理部７は、本画像ｄに基づいて表示画像ｆを生成する。
【００３０】
なお、画像処理部７は、撮像時や再生時において、電子カメラの姿勢が変化したときは、表示画像などの表示状態を変更することができる。例えば、制御部６が電子カメラの姿勢の変化を検出したときには、表示画像ｂと表示画像ｃとが相互に切り替わり、また、表示画像ｅと表示画像ｆとが相互に切り替わる。
以下、本実施形態の作用効果を説明する。
【００３１】
上記の実施形態の電子カメラでは、制御部６がタッチパネル４の検出する指の接触位置に基づいて、電子カメラの姿勢を判定している。したがって、ユーザーの姿勢や電子カメラの構え方に拘わらず、電子カメラの姿勢を適切に判定することができる。さらに、再生時の電子カメラの姿勢に応じて、表示画像の向きを変更するので、よりユーザーにとって使い勝手のよい電子カメラとなり得る。
【００３２】
また、本実施形態の電子カメラではタッチパネル４の他に別途姿勢検出センサを内蔵させる必要がないので、電子カメラの構成におけるレイアウトの自由度が向上する。
（実施形態の補足）
（ａ）上記実施例で電子カメラの縦横の向きの判定において、制御部６は、図５に例示するように、予め電子カメラが横向きと縦向きになるパターンの分布図を不図示のメモリに記録しておき、この記録したパターンと比較して、電子カメラの姿勢を判定してもよい。なお、電子カメラの構え方には個人差があると考えられるため、図５において、濃く塗りつぶされたエリアのみで電子カメラの姿勢の判定を行ってもよい。
【００３３】
（ｂ）また、レリーズ釦９を用いて撮像する場合には、ユーザーはレリーズ釦９の位置に応じて、上述の再生時とは異なる指の向きで電子カメラを構えている可能性がある。したがって、制御部６は、レリーズ釦９を押しやすい状態に電子カメラを構えた指の位置に基づいて、電子カメラの姿勢の判定を行ってもよい。例えば、ユーザーが（３）の縦位置に電子カメラを構えているときは、レリーズ釦９の位置に応じて、パネルの上側と右側に指が接触する可能性がある。したがって、制御部６は、タッチパネル４の検出する指の接触位置がパネルの上側と右側に分布している場合には、電子カメラの姿勢が（３）の縦位置であると判定してもよい。
【００３４】
また、ユーザーが（４）の縦位置に電子カメラを構えているときは、レリーズ釦９の位置に応じて、パネルの下側と右側に指が接触する可能性がある。したがって、制御部６は、タッチパネル４の検出する指の接触位置がパネルの下側と右側に分布している場合には、電子カメラの姿勢が（４）の縦位置であると判定してもよい。なお、（１）の正位置で電子カメラを構えているときは、制御部６は、上述の場合と同様に判定を行う。（なお、（２）の逆位置であるか否かは予めユーザーの入力によって対応することができる。）
（ｃ）本発明の姿勢判定の構成は上記実施形態に限定されるものではない。例えば、タッチパネル４に指紋センサーの機能を追加して、ユーザーの指紋を予め電子カメラに記録させておく。そして、制御部６は、この記録した指紋の向きと指紋センサーに接触する指の向きとに基づいて、電子カメラの姿勢を判定するようにしてもよい。
【００３５】
また、他の例として、電子カメラの上面と下面と両側側面に接触位置を検出するタッチセンサー等を設置する。そして、このタッチセンサーが感知するユーザーの指の向きに応じて、制御部６が電子カメラの姿勢を判定するようにしてもよい。
（ｄ）また、本実施形態の電子機器は電子カメラに限定されず、例えば、画像再生装置（ビューアー）やＰＤＡなどであってもよい。
【図面の簡単な説明】
【００３６】
【図１】本実施形態の電子カメラの外観を背面側から示す斜視図
【図２】本実施形態の電子カメラの内部構成を示すブロック図
【図３】（ａ）電子カメラの背面図、（ｂ）タッチパネル４の概略図
【図４】電子カメラの姿勢を示す図
【図５】電子カメラが横向きと横向きになるパターンの一例を示す図
【図６】本画像のデータと表示画像のデータの一例を示す図
【符号の説明】
【００３７】
２：撮像素子、４：タッチパネル、５：モニタ、６：制御部、２０：筐体、２１：前面部、２２：背面部
【図１】
2008199145.tif 000003
【図２】
2008199145.tif 000004
【図３】
2008199145.tif 000005
【図４】
2008199145.tif 000006
【図５】
2008199145.tif 000007
【図６】
2008199145.tif 000008